(57)【要約】  乗り物の座席カバーの配置は、外側の表面を有している乗り物の座席（１）と、ループ状の構造を備えているプラシ天状の材料から一体に作られている内側の表面を有している交換可能な乗り物の座席カバー（２）と、フック状の表面を有しており、乗り物の座席（１）の外側の表面上に取り付けられているシート状取り付け手段（１５）と、を有し、座席カバー（２）は、ループ状の構造とフック状の表面との間の係合によって乗り物の座席（１）に密着して嵌められている。【選択図】  図２
2019512425.tif 000002
【特許請求の範囲】
【請求項１】
工場取り付けカバーの外側の表面を有している乗り物の座席（１）と、
ループ状の構造を備えているプラシ天状の材料から一体に作られている内側の表面を有している交換可能な乗り物の座席カバー（２）と、
フック状の表面を有しており、乗り物の座席（１）の外側の表面上に取り付けられているシート状取り付け手段（１５）と、
を有し、
座席カバー（２）は、ループ状の構造とフック状の表面との間の係合によって乗り物の座席（１）上に密着して嵌められている、
乗り物の座席カバーの配置。
【請求項２】
取り付け手段（１５）は、乗り物の座席（１）の少なくとも横断方向の嵌め線（１４）にわたって広がっている、請求項１に記載の配置。
【請求項３】
プラシ天状の材料（２２）は、編布である、請求項１に記載の配置。
【請求項４】
座席カバー（２）は、背もたれカバー及び座部カバーを有している、請求項１に記載の配置。
【請求項５】
背もたれカバー及び座部カバーは、別個の片である、請求項１に記載の配置。
【請求項６】
ループ状の構造を備えているプラシ天状の材料から一体に作られている外側の表面を有している乗り物の座席（１）と、
内側の表面を有している交換可能な乗り物の座席カバー（２）と、
フック状の表面を有しており、乗り物の座席（２）の内側の表面上に取り付けられているシート状取り付け手段（１５）と、
を有し、
座席カバー（２）は、ループ状の構造とフック状の表面との間の係合によって乗り物の座席（１）の工場取り付けカバーの上及び全体に密着して嵌められている、
乗り物の座席カバーの配置。
【請求項７】
取り付け手段（１５）は、座席カバー（２）が乗り物の座席（１）に密着して嵌められたときに、乗り物の座席（１）の少なくとも横断方向の嵌め線（１４）にわたって広がっているように位置している、請求項６に記載の配置。
【請求項８】
プラシ天状の材料（２２）は、編布である、請求項６に記載の配置。
【請求項９】
座席カバー（２）は、背もたれカバー及び座部カバーを有している、請求項６に記載の配置。
【請求項１０】
背もたれカバー及び座部カバーは、別個の片である、請求項６に記載の配置。
【発明の詳細な説明】
【技術分野】
【０００１】
本発明は、乗り物の座席カバー配置に関する。特に、本発明は、交換可能な乗り物の座席カバーを乗り物の座席に速く、密着して取り付け、嵌める方法に関する。
【背景技術】
【０００２】
従来、乗り物の座席の外側の表面は、布または高級車によっては革で通常作られている。布の乗り物の座席は、安価で耐久性があり、可能な限りの打撃に耐えることができる。しかし、布を乗り物の座席に使用する欠点の１つは、布は、特に誤って色の付いた液体をこぼすと染まりやすいことである。布の乗り物の座席の外観は、時間が経つにつれて劣化する。前述の問題を解決するために、座席の布及びクッションを保護するだけでなく、乗り物の座席の外観を改善するために保護用乗り物の座席カバーが使用されている。
【０００３】
乗り物の座席カバーの使用は、乗り物の製造者またはその最終使用者によって実現することができる。乗り物の座席カバーは、こぼれたごみ、湿気、摩擦、または過酷な太陽光線によって乗り物の座席が破壊されるのを防止し、その耐久性を延ばすための偉大なアイディアである。また、乗り物の座席カバーの交換可能性は、乗り物の内部の環境の衛生を促進するのに重要である。それ以外にも、使用者のさまざまなライフスタイルに対応するように、乗り物の座席カバーのさまざまなデザインを可能にする。
【０００４】
従来の乗り物の座席カバーシステムにおいて、乗り物の座席カバーは、バックルを備えているベルト構造、ストラップ、両面接着テープ、フック／ループファスナ、またはそれらの組み合わせなどのさまざまな締結手段によって乗り物の座席に取り付けられている。最新の入手可能な乗り物シートカバーの構成は、乗り物の座席カバーの容易な係合及び係合解除を目的としているが、乗り物の座席カバーと乗り物の座席との間の緩い取り付けによって妥協が図られている。乗り物の座席カバーの位置は、乗り物の座席カバーを定位置にするように時々調整しなければならない。
【０００５】
さらに、緩い取り付けによる乗り物の座席カバーと乗り物の座席との間の既存のエアポケットは、運転者や同乗者にとって、不快な経験となる。快適な乗り物の座席は、運転の安全性を促進するので、乗り物の座席の快適性は、重要である。乗り物の座席の快適性のレベルを向上させるために、座席カバーと座席との間の密着している取り付けが望ましい。しかしながら、乗り物の座席カバーと乗り物の座席との間の密着している取り付けは、複雑で時間がかかる手続き及び配置なしに実現することはできない。
【０００６】
既存の技術の欠点を考慮して、複雑で時間がかかる手続き及び方法なしに、乗り物の座席カバーを乗り物の座席にしっかりと取り付けることができる改善された乗り物の座席カバーシステムつまり配置の開発に対する要求がある。この方法は、容易で、便利で、乗り物の座席の元のクッションの生地または布の層への影響を最小にしなければならない。
【発明の概要】
【発明が解決しようとする課題】
【０００７】
本発明は、この問題への解決策を提供する。
【０００８】
本発明の目的の１つは、運転旅行中に座席カバーの捩れや裏返りを一切防止するように、乗り物の座席カバーを乗り物の座席にその間で密着して嵌めることである。
【０００９】
本発明の他の目的は、乗り物の座席の元のクッションまたは布の層への影響が最小な密着して嵌る乗り物の座席カバーシステムつまり配置を提供することである。
【００１０】
本発明のさらに他の目的は、乗り物の座席カバーと乗り物の座席との間をぴったりと嵌めることもできる、単純で速く嵌る乗り物の座席カバーシステムつまり配置を提供することである。
【００１１】
本発明のさらに他の目的は、乗り物の座席カバーの様々なデザインの互換性を実現するように、単純で便利な乗り物の座席カバーを乗り物の座席に取り付ける方法を提供することである。  
【００１２】
本発明のまた他の目的は、乗り物の座席の外観をよりよくし、背もたれ及び座部の位置で乗り物のドライバーまたは乗員をより快適に支持する、乗り物の座席に密着して取り付けることができる交換可能な乗り物の座席カバーを提供することである。
【００１３】
本発明のまた他の目的は、様々なデザインとすることが可能で、製造コストが低いが品質が同等な乗り物の座席カバーを提供することである。
【課題を解決するための手段】
【００１４】
本発明の実施態様が、外側の表面を有している乗り物の座席と；ループ状の構造を備えているプラシ天状の材料から一体に作られている内側の表面を有している交換可能な乗り物の座席カバーと；フック状の表面を有しており、乗り物の座席の外側の表面上に取り付けられているシート状取り付け手段と、を有し、座席カバーは、乗り物の座席にループ状の構造とフック状の表面との間の係合によって密着して嵌められている、乗り物の座席カバーの配置を記載している本発明によって、前述の態様の少なくとも１個が、全体的にまたは部分的に達成される。
【００１５】
取り付け手段は、乗り物の座席の少なくとも横断方向の嵌め線にわたって広がっていることが好ましい。
【００１６】
乗り物の座席カバーの配置の発明のさらなる実施態様は、ループ状の構造を備えているプラシ天状の材料から一体に作られている外側の表面を有している乗り物の座席と；内側の表面を有している交換可能な乗り物の座席カバーと；フック状の表面を有しており、乗り物の座席の外側の表面上に取り付けられているシート状取り付け手段と、を有し、座席カバーは、乗り物の座席にループ状の構造とフック状の表面との間の係合によって密着して嵌められている。
【００１７】
取り付け手段は、座席カバーが乗り物の座席に密着して嵌められたときに、乗り物の座席の少なくとも横断方向の嵌め線にわたって広がっているように位置していることが好ましい。
【００１８】
プラシ天状の材料は、編布であることが好ましい。座席カバーは、背もたれカバー及び座部カバーを有していてもよく、背もたれカバー及び座部カバーは、別個の片であることが好ましい。
【００１９】
本発明の好ましい実施態様は、新規の特徴及び、以降で完全に説明し、添付の図面に示されており、添付の特許請求の範囲において特に指摘されている部分の組み合わせからなる；詳細な様々な変更が当業者によって、しかし本発明のいかなる利点を犠牲にすることなく行われるかもしれないことが理解される。
【００２０】
本発明の理解を促進する目的のために、添付の図面には好ましい実施形態が示されており、閲覧することによって、以下の説明と合わせて考慮したときに、本発明、その構成、及び動作、及び多くのその利点が容易に理解される。
【図面の簡単な説明】
【００２１】
【図１】図１は、本発明の好ましい実施形態の１つによって実施されるような乗り物の座席の透視図である。
【図２】図２は、本発明の好ましい実施形態の１つによって実施されるような背もたれ用乗り物の座席カバーを乗り物の座席の背もたれに取り付ける方法を示している。
【図３】図３は、本発明の好ましい実施形態の１つによって実施されるような座部用乗り物の座席カバーを乗り物の座席の座部に取り付ける方法を示している。
【発明を実施するための形態】
【００２２】
本発明は、乗り物の座席カバーの配置に関する。特に、本発明は、交換可能な乗り物の座席カバーを乗り物の座席に速く、密着して取り付け、嵌める方法に関する。
【００２３】
以降では、本発明の実施形態について、添付の説明及び図面を参照して本発明を説明する。しかし、説明を本発明の好ましい実施形態及び図面に限定することは、本発明の説明を単に促進するためであることを理解すべきであって、当業者は、添付の特許請求の範囲から逸脱することなく様々な修正を考案するかもしれないことが想起される。
【００２４】
本発明は、外側の表面を有している乗り物の座席（１）と；ループ状の構造を備えているプラシ天状の材料から一体に作られている内側の表面を有している交換可能な乗り物の座席カバー（２）と；フック状の表面を有しており、乗り物の座席（１）の外側の表面上に取り付けられているシート状取り付け手段（１５）と、を有し、座席カバー（２）は、ループ状の構造とフック状の表面との間の係合によって乗り物の座席（１）に密着して嵌められている乗り物の座席カバーの配置を開示している。
【００２５】
図１に示している、工場取り付けカバーで覆われている典型的な乗り物の座席（１）は、背もたれ（１１）及び座部（１２）を有している。工場取り付けカバーは、乗り物の座席（１）の製造過程時に乗り物の座席の背もたれ（１１）または座部（１２）の外側表面に容易に取り付けられている基本的な、つまり元のカバー指す。工場取り付けカバーは、布、ポリ塩化ビニル（ＰＶＣ）、または革で作ることができる。背もたれ（１１）または座部（１２）上には、乗り物の座席（１）の外観を改善する目的とは別の、乗り物の座席（１）の形状、特に座った者を十分に支持し、座ったり横たわったりする表面の形状を表現する複数の嵌め込みライン（１３）、（１４）が設けられている。典型的には、嵌め込み線（１３）、（１４）は、乗り物の座席（１）の対向している側部の位置に２個の垂直方向の嵌め込み線（１３）及び２個の垂直の方向の嵌め込み線（１３）に交差する横断方向の嵌め込み線（１４）を有しており、横断方向の嵌め込み線（１４）の２個の端部は垂直方向の嵌め込み線（１３）に沿っている。２個以上の横断方向の嵌め込み線（１４）が存在してもよいが、その中の１つだけが体重を十分に支持するのに最も重要である。
【００２６】
本発明の好ましい実施形態によれば、乗り物の座席（１）の対応する形状、輪郭、及び嵌め込み線を有している交換可能な乗り物の座席カバー（２）が提供される。乗り物の座席カバー（２）の内側の表面（２１）は、複数のループまたはループ状の構造を備えている表面を有しているプラシ天状の材料（２２）から一体に作られている。プラシ天状の材料（２２）は、編布でることが好ましく、編布は、起毛トリコット布であることがより好ましい。しかしながら、本明細書に記載するプラシ天状の材料（２２）は、ベルクロ（登録商標）のループファスナを指すことはなく、それは、ベルクロ（登録商標）には、本発明において好ましい、弾性と引き延ばし可能性の両方がないからである。乗り物の座席カバー（２）の内側の表面（２１）に取り付けるための追加の取り付け手段は必要ないので、使用時に、膨らんだ感触が最小の状態で、乗り物の座席カバーのより柔らかく、より滑らかな感触を経験することができる。さらに、プラシ天状の材料（２２）は、ベルクロ（登録商標）ループファスナよりも耐久性があり、プラシ天状の材料（２２）に対する最小の損傷で、複数回の取り付けと取り外しができる。
【００２７】
添付の図面の何れにも示していないが、乗り物の座席カバー（２）の内側の表面（２１）全体が、製造が容易なようにプラシ天状の材料（２２）から一体に作られていてもよい。しかし、プラス天状の材料（２２）を乗り物の座席カバー（２）の内側の表面（２１）全体に設けることは必要ない。プラシ天状の材料（２２）の面積及び位置は、乗り物の座席（１）上に取り付けられているシート状の取り付け手段（１５）を覆うのに十分でなければならない。乗り物の座席（１）上の取り付け手段（１５）を覆うのに十分で、製造の容易性が許容できるように、乗り物の座席カバー（２）の内側の表面（２１）の中心部分だけが、プラシ天状の材料（２２）から作られていることが好ましい。
【００２８】
本発明の好ましい実施形態によって記載したように、シート状の取り付け手段（１５）が、乗り物シート（１）の外側の表面の少なくとも一部に取り付けられている。取り付け手段（１５）は、乗り物シートカバー（２）のプラシ天状の材料（２２）のループ状の構造に係合するフック状の表面を有している。取り付け手段（１５）は、係合するようにプラシ天状の材料（２２）のループ状の構造内を貫くことができるベルクロ（登録商標）または複数のフックを備えている表面を有しているあらゆる他の材料のようにすることができる。フックは、係合性能に妥協することなくプラシ天状の材料（２２）への損傷が最小となるように構成されていることが好ましい。しかし、取り付け手段（１５）は、プラシ天状の材料（２２）に係合可能で、同様な係合性能を発揮する接着性の表面を少なくとも備えているシート状の材料などの任意の締結手段によって置き換えることができる。
【００２９】
添付の図面の何れにも示していないが、取り付け手段（１５）は、乗り物の座席（１）の外側表面全体に取り付けられてもよい。しかし、十分に強力な係合のため及び乗り物の座席カバー（２）をぴったり嵌めるために、乗り物の座席（１）の外側表面全体を取り付け手段（１５）で覆う必要ははい。取り付け手段（１５）は、乗り物の座席（１）の少なくとも横断方向の嵌め線（１４）にわたって広がっていることが好ましい。取り付け手段（１５）は、図２及び３に示しているように、乗り物の座席（１）の外側表面の中心部分に広がり、横断方向の嵌め込み線（１４）にも重なっていることがより好ましい。取り付け手段（１５）は、任意の取り付け方法によって、乗り物の座席（１）に取り付けることができるが、将来、どのような乗り物の座席カバー（２）も使用しないと決めたときに、取り付け手段（１５）を取り外すことができるように工場取り付けカバーへの損傷が最小な、取り付け手段（１５）の接着性のある裏側の表面によって取り付けられることが好ましい。
【００３０】
本発明の好ましい実施形態によれば、交換可能な乗り物の座席カバー（２）は、プラシ天状の材料のループ状構造と取り付け手段のフック状構造との間の係合によって乗り物の座席（１）に密着して嵌められている。特に、乗り物の座席カバー（２）の内側の表面（２１）のプラシ天状の材料（２２）のループは、乗り物の座席（１）の外側の表面に取り付けられている取り付け手段（１５）に係合している。特に、乗り物の座席カバー（２）上の対応する横断方向の嵌め込み線（２４）は、ぴったりと嵌るように乗り物の座席（１）の横断方向の嵌め込み線（１４）に揃えられており、残りの乗り物の座席カバー（２）は、乗り物の座席（１）の全体の輪郭に一致している。
【００３１】
乗り物の座席カバー（２）を乗り物の座席（１）に取り付ける例示的な手続きを図２及び３に示している。図２及び３に示しているようにカバー（２）を裏返しにして、その内側の表面（２１）を、取り付け手段（１５）が取り付けられている乗り物の座席（１）の外側の表面に取り付けることによって、カバー（２）を乗り物の座席（１）の背もたれ（１１）または座部（１２）に固定することができる。乗り物の座席（１）上の取り付け手段（１５）は、乗り物の座席カバー（２）のプラシ天状の材料（２２）に取り付けられることになる。乗り物の座席カバー（２）上の対応する横断方向の嵌め込み線（２４）は、ぴったりと嵌るように乗り物の座席（１）上の横断方向の嵌め込み線（１４）に揃えられる。カバー（２）と乗り物の座席（１）との間をぴったりと嵌めるように、カバー（２）を座席（１）上に穏やかに押すことによって、捕らえられて空気を取り除くことができる。
【００３２】
本発明の好ましい実施形態に示しているように、乗り物の座席カバー（２）は、背もたれカバー及び座部カバーの２個の部分を有している。背もたれカバー及び座部カバーは、１片の物品であってもよいし、２片の部品であってもよく、２片の部品が好ましい。乗り物の座席カバー（２）は、防水ネオプレーン、防汚ポリエステルまたは綿、ベロア、革、羊革、またはそれらのあらゆる２個以上の組み合わせなど、様々な種類の材料から作ることが可能である。本発明において、最も好ましい使用される材料は、革及びＰＶＣである。
【００３３】
添付の図面の何れにも完全には示されていないが、本発明のさらなる実施形態は、ループ状の構造を備えているプラシ天状の材料から一体に作られている外側の表面を有している乗り物の座席（１）と；内側の表面を有している交換可能な乗り物の座席カバー（２）と；フック状の表面を有しており、乗り物の座席（２）の内側の表面上に取り付けられているシート状取り付け手段（１５）と、を有し、座席カバー（２）は、ループ状の構造とフック状の表面との間の係合によって乗り物の座席（１）に密着して嵌められている乗り物の座席カバーの配置である。
【００３４】
本発明の他の好ましい実施形態において、乗り物の座席（１）の工場取り付けカバーは、複数のループまたはループ状の構造を備えているプラシ天状の材料から一体に作られていてもよい。特に、乗り物の座席（１）の工場取り付けカバーの少なくとも一部は、プラシ天状の材料から作られていてもよい。横断方向の嵌め込み線（１４）が内部に位置している乗り物の座席（１）の工場取り付けカバーの少なくとも中心部分は、プラシ天状の材料から作られていることが好ましい。しかしながら、本明細書に記載するプラシ天状の材料は、ベルクロ（登録商標）のループファスナを指すことはなく、それは、ベルクロ（登録商標）には、本発明において好ましい、弾性も引き延ばし可能性の両方がないからである。乗り物の座席カバー（２）の外側の表面（２１）に取り付けるための追加の取り付け手段は必要ないので、使用時に、膨らんだ感触が最小の状態で、乗り物の座席カバーのより柔らかく、より滑らかな感触を経験することができる。さらに、プラシ天状の材料は、ベルクロ（登録商標）ループファスナよりも耐久性があり、プラシ天状の材料に対する最小の損傷で、複数回の取り付けと取り外しができる。
【００３５】
本発明のさらに他の好ましい実施形態によれば、乗り物の座席（１）の対応する形状、輪郭、及び嵌め込み線を有している交換可能な乗り物の座席カバー（２）が提供される。シート状の取り付け手段（１５）は、乗り物の座席カバー（２）の内側の表面（２１）上に取り付けられている。取り付け手段は、ベルクロ（登録商標）または係合するようにプラシ天状の材料のループ内を貫くことができる複数のフックを備えている表面を有しているあらゆる他の材料と同等のものにすることができる。フックは、係合性能に妥協することなくプラシ天状の材料への損傷が最小となるように構成されていることが好ましい。取り付け手段を乗り物の座席カバー（２）の内側の表面（２１）全体に設けることも必要ない。フック状ファスナの面積及び位置は、乗り物の座席（１）のプラシ天状外側表面を覆うのに十分でなければならない。取り付け手段（１５）のループ状表面は、座席カバー（２）が乗り物の座席（１）に密着して嵌められたときに、乗り物の座席（１）の少なくとも横断方向の嵌め線（１４）にわたって広がっているように位置していることが好ましい。乗り物の座席カバー（２）の内側の表面の中心部分だけに、乗り物の座席（１）上のプラシ天材料を覆うのに十分で、製造の容易性が許容できる取り付け手段が取り付けられることがより好ましい。しかし、取り付け手段は、プラシ天状の材料に係合可能で、同様な係合性能を発揮する接着性の表面を少なくとも備えているシート状の材料などの任意の締結手段によって置き換えることができる。
【００３６】
また、本発明の他の好ましい実施形態によれば、交換可能な乗り物の座席カバー（２）は、乗り物の座席（１）のプラシ天状の材料のループ状構造と取り付け手段のフック状構造との間の係合によって乗り物の座席（１）に密着して嵌められている。特に、乗り物の座席（１）の外側表面上のプラシ天状の材料のループは、乗り物の座席カバー（２）の内側の表面上の取り付け手段（１５）のフックと係合する。特に、乗り物の座席カバー（２）上の対応する横断方向の嵌め込み線（２４）は、ぴったりと嵌るように乗り物の座席（１）の横断方向の嵌め込み線（１４）と揃えられており、残りの乗り物の座席カバー（２）は、乗り物の座席（１）の全体の輪郭に一致している。同様に、座席カバー２は、背もたれカバー及び座部カバーの２つの部分を有している。背もたれカバー及び座部カバーは、１片の物品であってもよいし、２片の部品であってもよく、２片の部品が好ましい。
【００３７】
本発明を、詳細に説明し図示したが、それは説明及び例とし理解すべきであって、限定と解釈すべきではない。本発明の精神及び範囲は、添付の特許請求の範囲の語によってのみ限定されるものである。
【図１】
2019512425.tif 000003
【図２】
2019512425.tif 000004
【図３】
2019512425.tif 000005
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
工場取り付けカバーの外側の表面を有している乗り物の座席（１）と、
ループ状の構造を備えているプラシ天状の材料から一体に作られている内側の表面を有している交換可能な乗り物の座席カバー（２）と、
フック状の表面を有しており、乗り物の座席（１）の外側の表面上に取り付けられているシート状取り付け手段（１５）であって、乗り物の座席（１）の少なくとも横断方向の嵌め線（１４）にわたって広がっているように位置している取り付け手段（１５）と、
を有し、
座席カバー（２）は、ループ状の構造とフック状の表面との間の係合によって乗り物の座席（１）の工場取り付けカバーの上及び全体に密着して嵌められている、
乗り物の座席カバーの配置。
【請求項２】
プラシ天状の材料（２２）は、編布である、請求項１に記載の配置。
【請求項３】
座席カバー（２）は、背もたれカバー及び座部カバーを有している、請求項１に記載の配置。
【請求項４】
背もたれカバー及び座部カバーは、別個の片である、請求項１に記載の配置。
【請求項５】
ループ状の構造を備えているプラシ天状の材料から一体に作られている工場取り付けカバーの外側の表面を有している乗り物の座席（１）と、
内側の表面を有している交換可能な乗り物の座席カバー（２）と、
フック状の表面を有しており、座席カバー（２）の内側の表面に取り付けられている座席状の取り付け手段（１５）であって、座席カバー（２）が乗り物の座席（１）に密着して嵌められたときに、乗り物の座席（１）の少なくとも横断方向の嵌め線（１４）にわたって広がっているように位置している取り付け手段（１５）と、
を有し、
座席カバー（２）は、ループ状の構造とフック状の表面との間の係合によって乗り物の座席（１）の工場取り付けカバーの上及び全体に密着して嵌められている、
乗り物の座席カバーの配置。
【請求項６】
プラシ天状の材料（２２）は、編布である、請求項６に記載の配置。
【請求項７】
座席カバー（２）は、背もたれカバー及び座部カバーを有している、請求項６に記載の配置。
【請求項８】
背もたれカバー及び座部カバーは、別個の片である、請求項６に記載の配置。
【国際調査報告】
2019512425.tif 000006
2019512425.tif 000007
2019512425.tif 000008